(57)【要約】【課題】レンズ傾きを抑制し、高密度化に対応できる対物レンズ駆動装置を提供する。【解決手段】対物レンズと、前記対物レンズを保持する可動部と、該可動部に接続された第１，２，３，４の弾性支持部材と、前記第１及び第２の弾性支持部材に接続された第１の固定部材と、前記第３及び第４の弾性支持部材に接続された第２の固定部材と、を有し、前記第１及び第２の固定部材は互いに固定された対物レンズ駆動装置とする。第１及び第２の固定部材は互いにスライドさせて位置調節する。【選択図】図１
2008084398.tif 000002
【特許請求の範囲】
【請求項１】
対物レンズと、前記対物レンズを保持する可動部と、該可動部に接続された第１，２，３，４の弾性支持部材と、前記第１及び第２の弾性支持部材に接続された第１の固定部材と、前記第３及び第４の弾性支持部材に接続された第２の固定部材と、を有し、
前記第１及び第２の固定部材は互いに固定されたことを特徴とする対物レンズ駆動装置。
【請求項２】
請求項１に記載の対物レンズ駆動装置において、
前記第１及び第２の固定部材は互いに固定される前には前記可動部の方向にスライドできる互いに嵌合する凸凹構造を有することを特徴とする対物レンズ駆動装置。
【請求項３】
請求項１又は２のいずれかに記載の対物レンズ駆動装置において、
前記第１及び第２の固定部材は互いの接続部に互いの相対位置を決定する目盛又はマーカを具備することを特徴とする対物レンズ駆動装置。
【請求項４】
対物レンズと、前記対物レンズを保持する可動部と、該可動部に接続された第１，２，３，４の弾性支持部材と、前記第１の弾性支持部材に接続された第１の固定部材と、前記第２の弾性支持部材に接続された第２の固定部材と、前記第３の弾性支持部材に接続された第３の固定部材と、前記第４の弾性支持部材に接続された第４の固定部材と、を有し、
前記第１，２，３，４の固定部材は互いに固定されたことを特徴とする対物レンズ駆動装置。
【請求項５】
請求項４に記載の対物レンズ駆動装置において、
前記第１，２，３，４の固定部材は互いに固定される前には前記可動部の方向にスライドできる互いに嵌合する凸凹構造を有することを特徴とする対物レンズ駆動装置。
【請求項６】
請求項４又は５のいずれかに記載の対物レンズ駆動装置において、
前記第１，２，３，４の固定部材は互いの接続部に互いの相対位置を決定する目盛又はマーカを具備することを特徴とする対物レンズ駆動装置。
【請求項７】
請求項１に記載の対物レンズ駆動装置において、
前記第１及び第２の固定部材は接着剤にて互いに固定されることを特徴とする対物レンズ駆動装置。
【請求項８】
請求項４に記載の対物レンズ駆動装置において、
前記第１，２，３，４の固定部材は接着剤にて互いに固定されることを特徴とする対物レンズ駆動装置。
【発明の詳細な説明】
【技術分野】
【０００１】
本発明は、光ディスクの記録面に光を集光する対物レンズを駆動する対物レンズ駆動装置に関する。
【背景技術】
【０００２】
近年、光ディスクにおいて高密度化が進み、その方法として主にレーザの波長を短くするか対物レンズの開口を大きくすることによって対応を図っている。そのため、光ディスクに対する対物レンズの傾きによる光スポットの品質への影響が大きくなっている。対物レンズの傾きによる光スポットの信号劣化は、記録再生時の信号劣化につながるため、光ディスクと対物レンズ間の傾きを抑える必要が生じた。
【０００３】
このような光ディスク装置において、光ディスク上の記録面に光を集光する対物レンズをフォーカシング方向（光ディスク面に接近／離遠する方向）とトラッキング方向（光ディスクの半径方向）とラジアルチルト方向（光ディスク半径方向に傾く）に駆動する装置が対物レンズ駆動装置である。
【０００４】
この対物レンズ駆動装置の可動部支持配置は、一端を可動部に他端を固定部に固定された弾性支持部材が複数本平行リンクを構成するように配置されている。光ディスクと対物レンズ間の傾きを抑える手法としては、特許文献１では対物レンズ駆動装置製作時に光軸が光ディスクに対して垂直となるように対物レンズのあおり調整を行ったり、光ディスク装置製作時に光軸が光ディスクに対して垂直となるように対物レンズ駆動装置を搭載した光ピックアップのあおり調整を行ったりしている。
【０００５】
【特許文献１】特開２００３−２２８８５２号公報（第１図）
【発明の開示】
【発明が解決しようとする課題】
【０００６】
上記従来技術は初期状態での対物レンズ傾きを解決するものであり、対物レンズがフォーカシング方向あるいはトラッキング方向にシフトする等の動的な対物レンズ傾きの抑制は検討されていない。
【０００７】
動的な対物レンズ傾きは部品あるいは組み立てのばらつきを起因としている。そのため、動的に光ディスクと対物レンズの相対傾きによって、光スポットの強度分布変化が発生して記録再生時の信号劣化につながる。
【０００８】
本発明は上記問題点に着目し、動作時における部品または組み立てばらつきの影響を排除することを目的とする。
【課題を解決するための手段】
【０００９】
上記目的を達成するために本発明は、対物レンズを保持する可動部と、可動部に接続された複数の弾性支持部材と、複数の弾性支持部材に接続される複数の固定部材を有し、複数の固定部材同士を互いに固定する対物レンズ駆動装置とする。
【発明の効果】
【００１０】
本発明によれば、複数の固定部材なので、それら間の相対位置を調整することで組み立てばらつきを吸収できる。その結果、光ディスクと対物レンズ間の動的な傾きを小さくできる。
【発明を実施するための最良の形態】
【００１１】
以下、実施例を説明する。
【実施例１】
【００１２】
本発明の実施例を図１，図２，図３、及び式１，２，３を用いて説明する。
【００１３】
【数１】
2008084398.tif 000003
【００１４】
【数２】
2008084398.tif 000004
【００１５】
【数３】
2008084398.tif 000005
【００１６】
図１は本発明の対物レンズ駆動装置の実施例の構成を示す斜視図、図２は磁気回路を除いた対物レンズ駆動装置の構成を示す斜視図、図３は本発明の原理を説明する図である。式１，２，３は本実施例の考え方を表現した式である。図１に示すように、タンジェンシャル方向は図示しない光ディスクの接線方向，トラッキング方向は光ディスクの半径方向である、フォーカシング方向は対物レンズ１の光軸方向である。
【００１７】
図１，図２において、可動部２には、対物レンズ１，フォーカシングコイル４ａ，トラッキングコイル４ｂ，ラジアルチルトコイル４ｃが装着されている。これら可動部を支持するのは、対物レンズ１の位置を決めるための弾性支持部材３ａ〜３ｄである。これら弾性支持部材３ａ〜３ｄはそれぞれ固定部材５ａ，５ｂにて固定される。固定部材５ａ，
５ｂはそれぞれ弾性支持部材の軸方向のみに移動できるよう、案内溝としてお互いに凸凹の溝がはめあい形状により連結配置されている。弾性支持部材３ａ〜３ｄはコイル４ａ〜４ｃへの電力供給も兼ねるため、導電部材により構成され、可動部２に装着された各コイル４ａ〜４ｃとは半田等で電気的にも固定されている。
【００１８】
弾性支持部材３ａ〜３ｄの配置によるモーメントの影響を少なくするため、対物レンズ１の位置を決める弾性支持部材３ａ〜３ｄの位置は可動部２の重心と一致させることが望ましい。上記を満足できない場合は、弾性支持部材３ａ〜３ｄと可動部２の結合位置を調整することによりモーメントの総和が０となるように配置する。本実施例における回転中心調整方法を図３及び式１，２，３を用い説明する。可動部２の外力によるモーメントをなくすためには、式１を満たす必要がある。式１における弾性支持部材のバネ定数ｋ１，ｋ２は式２及び式３で表される。弾性支持部材それぞれのバネ定数ｋ１，ｋ２は長さＬ１，Ｌ２（有効長）で決まる。よって、弾性支持部材３ａ〜３ｄを弾性支持部材固定部材
５ａ，５ｂの軸方向（タンジェンシャル方向）に移動し、可動部２の外力によるモーメントが極小となるように調整する。もちろん、固定部材５ａ，５ｂは調整後は位置決めによる形状ずれは生じる。よって、本実施例における弾性支持部材３ａ〜３ｄ各々の有効長
（可動部２の固定部から固定部材５ａまたは５ｂまでの距離）は異なる。Ｅ１，Ｅ２は弾性支持部材３ａ〜３ｄのヤング率は弾性支持部材３ａ〜３ｄの断面定数である。このようにして構成された固定部材５ａ，５ｂは調整後の位置決めするために固定される。固定方法は固定部材５ａ，５ｂ間に接着剤を塗布する方法や、別部材で固定部材５ａ，５ｂを固定する方法などがある。
【００１９】
可動部２に配置されたフォーカシングコイル４ａ，トラッキングコイルまたはラジアルチルトコイル４ｂ及びラジアルチルトコイルまたはトラッキングコイル４ｃ近傍には永久磁石６ａ〜６ｄが配置されている。永久磁石６ａ〜６ｄはコイル４ａ〜４ｃとの距離を一定に保つ目的で、ヨーク６ｆに位置決めされている。可動部２は永久磁石６ａ〜６ｄと可動部２のフォーカシングコイル４ａ，トラッキングコイルまたはラジアルチルトコイル
４ｂ及びラジアルチルトコイルまたはトラッキングコイル４ｃで構成される磁気回路が発生する電磁力により変位する。
【００２０】
次に、本実施例の特徴を説明する。弾性支持部材は個々のバネ定数等のばらつきがあると式１を満たすことができなくなるため、初期チルト特性を良好にすることができない。本実施例では、軸方向に変位可能な弾性支持部材の固定部を分割し、弾性支持部材の有効長を独立して調整することで、弾性支持部材のバネ剛性ばらつきを矯正できるので初期チルト特性を良好にできる特徴がある。
【００２１】
本実施例では、弾性支持部材の固定部材は上下に組み合わせている。この場合はタンジェンシャル方向のチルト抑制に対し有効である。もちろん、ラジアルチルト方向の抑制には、弾性支持部材の固定部材を左右の組み合わせ、すなわちトラッキング方向の組み合わせにすればよい。また、上記２方向を同時に行おうとすれば、弾性支持部材の固定部分割を上下左右の４つの組み合わせにすればよい。
【実施例２】
【００２２】
本発明の第２の実施例を図４を用い、以下に説明する。本実施例の特徴は、第１実施例において、弾性支持部材の固定部材８ａ〜８ｄを上下左右の部品として組み合わせ、各々の固定部材８ａ〜８ｄに嵌合できる凸凹の案内溝７ａ，７ｂ，７ｃを設けたことである。もちろん、案内溝は弾性支持部材の軸方向のみ可動する。本実施例では、弾性支持部材の固定部材それぞれが案内溝７ａ〜７ｃで支持されているので、調整時には固定部材８ａ〜８ｄの各々が分離することが無く、迅速に調整が可能である特徴がある。
【実施例３】
【００２３】
本発明の第３の実施例を図６，図７を用い以下に説明する。本実施例の特徴は、第１実施例における弾性支持部材の固定部材の相対位置を表す目盛９または１０を設けたことである。弾性支持部材の固定部材は少なくとも２つ以上であり、各々は組み合わされて一つの可動部のレンズホルダを弾性支持部材を介して固定する部材を形成する。弾性支持部材の固定部材には本尺，副尺となる目盛９または１０が刻印されている。本実施例の解決課題はチルト動作調整時における弾性支持部材固定部材調整位置の原点調整を省略化することである。本実施例によれば、同一ロット部品を使用し調整の方向が同じとなったとき、概略位置を作業者が記憶できるので、原点を調整せずに相対位置調整が可能となり、作業時間を大幅に短縮できる効果がある。本実施例では固定部材の位置決めは目盛を用いたが、マーカを使用しても同様な位置決めが可能である。
【００２４】
以上、本発明の実施例を記述したが、各々の実施例は組み合わせても各実施例の効果と同様な効果を得ることができる。
【図面の簡単な説明】
【００２５】
【図１】本発明の対物レンズ駆動装置の第１実施例を示す斜視図である。
【図２】本発明の対物レンズ駆動装置の第１実施例を補足説明する斜視図である。
【図３】本発明の対物レンズ駆動装置の第１実施例の原理を説明する図である。
【図４】本発明の対物レンズ駆動装置の第２実施例を示す斜視図である。
【図５】本発明の対物レンズ駆動装置の第３実施例を示す斜視図である。
【図６】本発明の対物レンズ駆動装置の第３実施例を示す斜視図である。
【符号の説明】
【００２６】
１…対物レンズ、２…可動部、３ａ〜３ｄ…弾性支持部材、４ａ…フォーカシングコイル、４ｂ…トラッキングコイルまたはラジアルチルトコイル、４ｃ…ラジアルチルトコイルまたはトラッキングコイル、５ａ，５ｂ，８ａ〜８ｄ…固定部材、６ａ〜６ｄ…永久磁石、６ｆ…ヨーク、７ａ〜７ｃ…案内溝、９，１０…目盛。
【図１】
2008084398.tif 000006
【図２】
2008084398.tif 000007
【図３】
2008084398.tif 000008
【図４】
2008084398.tif 000009
【図５】
2008084398.tif 000010
【図６】
2008084398.tif 000011